(57)【要約】【課題】販売者の報告を促進し、紹介者がより多くの取引実績情報を収集できるようにする成果報酬型広告管理装置を提供する。【解決手段】商品やサービスの内容および成果報酬条件を管理する販売条件管理部110と、販売者および購入者から報告される商取引内容、および紹介者に支払う報酬金額および購入者に支払う分配金額を管理する報酬情報管理部と120とを備える。報酬情報管理部は、分配情報、および販売者、購入者の取引情報報告状況に応じて報酬金、および分配金を算出する報酬金額計算手段129を有する。【選択図】図１
2006190099.tif 000002
【特許請求の範囲】
【請求項１】
商品やサービスの内容および成果報酬条件を管理し、販売者および購入者から報告される商取引内容、および紹介者に支払う報酬金額および購入者に支払う分配金額を管理する成果報酬型広告管理装置であって、
商品やサービスを販売もしくは提供する者を識別する販売者識別情報と、少なくとも報酬金の授受方法を含む販売者情報とを保持する販売者情報保持手段と、
商品やサービスを購入もしくは利用した者を識別する購入者識別情報と、少なくとも分配金の授受方法を含む購入者情報を保持する購入者情報保持手段と、
商品やサービスを購入者に紹介した紹介者を識別する紹介者識別情報と、少なくとも報酬金の授受方法を含む紹介者情報を保持する紹介者情報保持手段と、
前記販売者識別情報と、前記購入者識別情報と、前記紹介者識別情報と、商品やサービスを識別する商品識別情報と、少なくとも取引における支払総額とを含む取引情報を、前記販売者が登録する第一の取引情報登録手段と、
前記取引情報を前記購入者が登録する第二の取引情報登録手段と、
前記取引情報を保持する取引情報保持手段と、
前記取引の取引情報を登録した購入者に対する成果報酬の分配条件を示す分配情報を保持する分配情報保持手段と、
前記分配情報、および販売者、購入者の取引情報報告状況に応じて、報酬金および分配金を算出する報酬金額計算手段と、
を備えることを特徴とする成果報酬型広告管理装置。
【請求項２】
請求項1に記載の成果報酬型広告管理装置において、
商品やサービスの販売者、購入者、紹介者と通信網で接続された仲介者が備えることを特徴とする成果報酬型広告管理装置。
【請求項３】
請求項1に記載の成果報酬型広告管理装置において、
前記成果報酬型広告管理装置は、商品やサービスの販売者、購入者と通信網で接続された紹介者が備え、さらに、紹介情報を登録する紹介情報登録手段と、前記紹介情報を保持する紹介情報保持手段とを有し、
前記紹介情報は、前記商品識別情報、商品やサービスの内容、販売条件や提供情報、および紹介者に対する成果報酬条件を示す販売情報と、前記分配情報とから構成されることを特徴とする成果報酬型広告管理装置。
【請求項４】
商品やサービスの内容および成果報酬条件を管理し、販売者および購入者から報告される商取引内容、および紹介者に支払う報酬金額および購入者に支払う分配金額を管理する成果報酬型広告管理装置であって、
商品やサービスを識別する商品識別情報、商品やサービスの内容、販売条件や提供条件、および紹介者に対する成果報酬条件を示す販売情報を登録する販売情報登録手段と、
前記販売情報を保持する販売情報保持手段と、
前記販売情報を出力する販売情報出力手段と、
商品やサービスを販売もしくは提供する者を識別する販売者識別情報と、少なくとも報酬金の授受方法を含む販売者情報とを保持する販売者情報保持手段と、
商品やサービスを購入もしくは利用した者を識別する購入者識別情報と、少なくとも分配金の授受方法を含む購入者情報とを保持する購入者情報保持手段と、
商品やサービスを購入者に紹介した紹介者を識別する紹介者識別情報と、少なくとも報酬金の授受方法を含む紹介者情報とを保持する紹介者情報保持手段と、
前記販売者識別情報と、前記購入者識別情報と、前記紹介者識別情報と、前記商品識別情報と、前記販売者が取引ごとに一意に発行する受注番号と、少なくとも取引における支払総額とを含む取引情報を、前記販売者が登録する第一の取引情報登録手段と、
前記取引情報を前記購入者が登録する第二の取引情報登録手段と、
前記取引情報を保持する取引情報保持手段と、
前記取引の取引情報を登録した購入者に対する成果報酬の分配条件を示す分配情報を、前記紹介者が登録する分配情報登録手段と、
前記分配情報を保持する分配情報保持手段と、
前記分配情報、および販売者、購入者の取引情報報告状況に応じて、報酬金および分配金を算出する報酬金額計算手段と、
を備えることを特徴とする成果報酬型広告管理装置。
【請求項５】
請求項４に記載の成果報酬型広告管理装置において、
商品やサービスの販売者、購入者、紹介者と通信網で接続された仲介者が備えることを特徴とする成果報酬型広告管理装置。
【請求項６】
請求項４に記載の成果報酬型広告管理装置において、
前記成果報酬型広告管理装置は、商品やサービスの販売者、購入者と通信網で接続された紹介者が備え、さらに、前記販売情報と前記分配情報から構成される紹介情報を登録する紹介情報登録手段と、前記紹介情報を保持する紹介情報保持手段と、前記紹介情報を前記購入者に対して出力する紹介情報出力手段とを有することを特徴とする成果報酬型広告管理装置。
【請求項７】
商品やサービスの内容および成果報酬条件を管理する販売情報管理部と、販売者および購入者から報告される商取引内容、および紹介者に支払う報酬金額および購入者に支払う分配金額を管理する報酬情報管理部とから構成される成果報酬型広告管理装置であって、
前記販売情報管理部は、
商品やサービスを識別する商品識別情報、商品やサービスの内容、販売条件や提供条件、および紹介者に対する成果報酬条件を示す販売情報を登録する販売情報登録手段と、
前記販売情報を保持する販売情報保持手段と、
前記販売情報を出力する販売情報出力手段とを有し、
前記報酬情報管理部は、
商品やサービスを販売もしくは提供する者を識別する販売者識別情報と、少なくとも報酬金の授受方法を含む販売者情報とを保持する販売者情報保持手段と、
商品やサービスを購入もしくは利用した者を識別する購入者識別情報と、少なくとも分配金の授受方法を含む購入者情報とを保持する購入者情報保持手段と、
商品やサービスを購入者に紹介した紹介者を識別する紹介者識別情報と、少なくとも報酬金の授受方法を含む紹介者情報とを保持する紹介者情報保持手段と、
前記販売者識別情報と、前記購入者識別情報と、前記紹介者識別情報と、前記商品識別情報と、前記販売者が取引ごとに一意に発行する受注番号と、少なくとも取引における支払総額とを含む取引情報を、前記販売者が登録する第一の取引情報登録手段と、
前記取引情報を前記購入者が登録する第二の取引情報登録手段と、
前記取引情報を保持する取引情報保持手段と、
前記取引の取引情報を登録した購入者に対する成果報酬の分配条件を示す分配情報を、前記紹介者が登録する分配情報登録手段と、
前記分配情報を保持する分配情報保持手段と、
前記分配情報、および販売者、購入者の取引情報報告状況に応じて、報酬金および分配金を算出する報酬金額計算手段とを有する、
ことを特徴とする成果報酬型広告管理装置。
【請求項８】
請求項７に記載の成果報酬型広告管理装置において、
商品やサービスの販売者、購入者、紹介者と通信網で接続された仲介者が備えることを特徴とする成果報酬型広告管理装置。
【請求項９】
請求項７に記載の成果報酬型広告管理装置において、
前記成果報酬型広告管理装置は、商品やサービスの販売者、購入者と通信網で接続された紹介者が備え、
前記成果報酬型広告管理装置は、前記販売情報と前記分配情報から構成される紹介情報を管理する紹介情報管理部をさらに備え、
前記紹介情報管理部は、
前記紹介情報を登録する紹介情報登録手段と、
前記紹介情報を保持する紹介情報保持手段と、
前記紹介情報を前記購入者に対して出力する紹介情報出力手段とを有することを特徴とする成果報酬型広告管理装置。
【発明の詳細な説明】
【技術分野】
【０００１】
本発明は、成果報酬型広告によって生じた商品購入またはサービス利用の事実を効率的に収集する装置に関する。
【背景技術】
【０００２】
近年、個人や小規模事業者の運営するホームページは、ウェブログなどツール類の充実による品質の向上検索エンジンの高性能化によるアクセス数の増加など、メディアとしての価値が高まる傾向にある。
こうした中、多くの小規模事業者や個人が、特許文献1に代表的に開示されている成果報酬型広告の方法により、自らのページ上で他者の販売する商品やサービスを紹介することで、その結果生じた商取引の契約額の一部を収入として得ている。しかし、この方法では、紹介者は実際に商取引が行われたかどうかを確認することができないため、販売者が取引成立の事実を正しく報告してこない場合は、報酬が受け取れないという問題がある。
そこで、特許文献２に開示の方法では、紹介に基づいて商品やサービスを利用した顧客に対しキャッシュバックというインセンティブを与えることで、取引実績情報の収集を図っている。しかし、この方法においても、顧客に対して報告を強制できるわけではないため、顧客が労力を惜しんだり忘れたりすることで実績情報が得られない可能性がある。
また、販売者と顧客が協力して情報を隠蔽し、本来紹介者に支払われるべき報酬額を互い
に分配するという攻撃も考えられる。
【０００３】
【特許文献１】米国特許第６０２９１４１号明細書
【特許文献２】特開２００１−２９１０２６号公報
【発明の開示】
【発明が解決しようとする課題】
【０００４】
以上に示したように、これまでの方法では、販売者および顧客の行動如何によっては紹介者が正しく報酬を得ることができない。
そこで本発明の目的は、販売者の報告を促進し、紹介者がより多くの取引実績情報を収集できるようにする成果報酬型広告管理装置を提供することにある。
【課題を解決するための手段】
【０００５】
本発明は、商品やサービスの内容および成果報酬条件を管理し、販売者および購入者から報告される商取引内容、および紹介者に支払う報酬金額および購入者に支払う分配金額を管理する成果報酬型広告管理装置であって、商品やサービスを販売もしくは提供する者を識別する販売者識別情報と、少なくとも報酬金の授受方法を含む販売者情報とを保持する販売者情報保持手段と、商品やサービスを購入もしくは利用した者を識別する購入者識別情報と、少なくとも分配金の授受方法を含む購入者情報を保持する購入者情報保持手段と、商品やサービスを購入者に紹介した紹介者を識別する紹介者識別情報と、少なくとも報酬金の授受方法を含む紹介者情報を保持する紹介者情報保持手段と、前記販売者識別情報と、前記購入者識別情報と、前記紹介者識別情報と、商品やサービスを識別する商品識別情報と、少なくとも取引における支払総額とを含む取引情報を、前記販売者が登録する第一の取引情報登録手段と、前記取引情報を前記購入者が登録する第二の取引情報登録手段と、前記取引情報を保持する取引情報保持手段と、前記取引の取引情報を登録した購入者に対する成果報酬の分配条件を示す分配情報を保持する分配情報保持手段と、前記分配情報、および販売者、購入者の取引情報報告状況に応じて、報酬金および分配金を算出する報酬金額計算手段とを備えることを特徴とする。
このような成果報酬型広告管理装置は、商品やサービスの販売者、購入者、紹介者と通信網で接続された仲介者が備えることができる。あるいはまた、上記の仲介者が存在しない場合には、紹介者が備えることができる。
【発明の効果】
【０００６】
本発明の成果報酬型広告管理装置によれば、成果報酬型広告によって生じた商品購入またはサービス利用の事実を効率的に収集することができる。
【発明を実施するための最良の形態】
【０００７】
図1は、本発明の成果報酬型広告管理装置の処理機能を例示した機能ブロック図である。図１に示すように、本発明の成果報酬型広告管理装置100は、商品やサービスの内容および成果報酬条件を管理する販売情報管理部110と、販売者および購入者から報告される商取引内容、および紹介者に支払う報酬金額および購入者に支払う分配金額を管理する報酬情報管理部120とから構成される。
【０００８】
販売情報管理部110は、販売情報登録手段111と、販売情報保持手段112と、販売情報出力手段113とから構成される。
販売情報登録手段11は、商品やサービスを識別する商品識別情報、商品やサービスの内容、販売条件や提供条件、および紹介者に対する成果報酬条件を示す販売情報を登録する。
販売情報保持手段112は、販売情報を保持する。
販売情報保持手段113は、販売情報を出力する。
報酬情報管理部120は、販売者情報保持手段121と、紹介者情報保持手段122と、第一の取引情報登録手段123と、第二の取引情報登録手段124と、取引情報保持手段125と、購入者情報保持手段126と、分配情報登録手段127と、分配情報保持手段128と、報酬
金額計算手段129とから構成される。
販売者情報保持手段121は、商品サービスを販売もしくは提供する者を識別する販売者識別情報と、少なくとも報酬金の授受方法などを含む販売者情報とを保持する。
紹介者情報保持手段122は、商品やサービスを購入者に紹介した紹介者を識別する紹介者識別情報と、少なくとも報酬金の授受方法などを含む紹介者情報とを保持する。
第一の取引情報登録手段123は、販売者識別情報と、購入者識別情報と、紹介者識別情報と、商品識別情報と、販売者が取引ごとに一意に発行する受注番号と、少なくとも取引における支払総額とを含む取引情報を、販売者が登録する手段である。
第二の取引情報登録手段12４は、取引情報を購入者が登録する手段である。
取引情報保持手段125は、取引情報を保持する。
購入者情報保持手段126は、商品やサービスを購入もしくは利用した者を識別する購入者識別情報と、少なくとも分配金の授受方法などを含む購入者情報を保持する。
分配情報登録手段127は、取引の取引情報を登録した購入者に対する成果報酬の分配条件を登録する手段である。
分配情報保持手段128は、分配情報を保持する。
報酬金額計算手段129は、分配情報、および販売者、購入者の取引情報報告状況に応じて報酬金、および分配金を算出する。
【実施例】
【０００９】
本発明の実施例として、電子商取引における商品の販売者および購入者の双方から取引実績の報告を受け、その報告実績に基づいて報酬金額および分配金額を算出することを特徴とする成果報酬型広告サービスについて、図2および図3を用いて説明する。
図2は、本発明の実施例における処理を示すための全体構成図であり、図3は、本発明の実施例における処理を示すためのシーケンス図である。
【００１０】
販売者、購入者、紹介者、仲介者は、通信手段、例えばインターネットを介して相互に接続されている。
販売者は、販売者端末装置400と販売装置500を備えている。
購入者は、購入者端末装置600を備えている。
紹介者は、紹介者端末装置200および紹介装置300を備えている。
仲介者は、前述した成果報酬型広告管理装置100を備えている。
【００１１】
まず、販売者、紹介者および購入者は、事前に仲介者に対して登録手続きを行い、それぞれ一意な販売者識別情報、紹介者識別情報、購入者識別情報を得る。成果報酬型広告管理装置100は、報酬金、分配金の授受方法などの情報と併せ、それぞれ販売者情報保持手段121、紹介者情報保持手段122、購入者情報保持手段126に保持する。
【００１２】
以下、図3のシーケンス図に示すステップ毎に動作を説明する。
【００１３】
ステップS001
販売者は、効能、性能、価格など自らが販売する商品に関する情報、および店舗の所在や支払い方法、配送の手段、リードタイムなどの販売形態を示す情報、また商取引が成立した場合に紹介者に支払われる報酬に関する情報と、前述の販売者識別情報を含む販売情報M10を、販売者端末装置400を用いて成果報酬型広告管理装置100に登録する。図4は、販売情報M10のデータ構造を例示した図である。
【００１４】
ステップS002
紹介者は、紹介者端末装置200を用いて、仲介者の成果報酬型広告管理装置100にアクセスし、販売情報M10を閲覧する。具体的には、成果報酬型広告管理装置100は、複数の販売者により登録され、販売情報保持手段112に保持されている販売情報M10に対し、販売情報出力手段113によって検索による絞込み、各項目値による整列処理を施したデータを紹介者端末装置200に送信する。
【００１５】
ステップS003
紹介者は、紹介者端末装置200において、閲覧した販売情報M10の中から、自ら管理する紹介装置300において紹介する商品を選択し、購入者に対する分配率を決定する。そして販売者識別情報と併せて分配情報M20を構成し、紹介者端末装置200を用いて成果報酬型広告管理装置100に登録する。図5は、分配情報M20のデータ構造を例示した図である。その際、分配情報登録手段127では、登録された分配情報M20に含まれる販売者識別情報、商品識別情報、報酬率と同じ値を持つ販売情報M10が販売情報保持手段112に存在すること、および報酬率が分配率より大きいことを確認する。
【００１６】
ステップS004
紹介者は、販売情報M10と分配情報M20とから紹介情報M30を構成し、紹介装置300に登録する。その際、自らが商品販売促進のために該当商品を推薦する情報を付加しても良い。図6は、紹介者情報M30のデータ構造を例示した図である。
【００１７】
ステップS005
購入者は、購入者端末600を用いて紹介装置300にアクセスし、紹介情報M30を閲覧する。購入者は、紹介情報M30に含まれる販売方法に基づき販売装置500にアクセ
スし、商品情報を閲覧して購入検討を行う。
【００１８】
ステップS006
購入者が、商品購入を決断し、販売者に対して発注を行うプロセスに関しては、通常の電子商取引の方法によって実現できるため詳細説明は省略する。ただし、その過程において図7に例示する発注情報M40のように、購入者識別情報、紹介者識別情報を含む情報が購入者端末装置600から販売装置500に伝達される必要がある。
【００１９】
ステップS007
販売装置500が受注を行う詳細プロセスについての説明は省略するが、販売者端末装置400および購入者端末装置600に対して、図8に例示する受注情報M41のように、受注情報、購入者識別情報、紹介者識別情報を含む情報が伝達される必要がある。
【００２０】
ステップＳ008
販売者は、販売者端末装置400を用いて、図9に例示する取引情報M50を成果報酬型広告管理装置100に登録する。具体的には、販売者識別情報、商品識別情報、購入者識別情報、紹介者識別情報、受注番号、購入金額を登録すると、第一の取引情報登録手段123は、取引情報保持手段125に既に同値の情報を含むレコードが存在するかどうか確認する。レコードが存在した場合、販売者登録年月日を読み出し、空白であれば、そのときの時刻で販売者登録年月日を更新する。販売者登録年月日に値が入っていた場合は、2重登録とみなして登録を行わない。また、レコードが存在しなかった場合、入力されてきた販売者識別情報、商品識別情報、紹介者識別情報がそれぞれ販売者情報保持手段121、紹介者情報保持手段122、および分配情報保持手段128に含まれているか確認する。
全て存在した場合のみ、そのときの時刻を販売者登録年月日とした上で、取引情報保持手段125に新規登録する。
なお、販売者は省力化のため、受注毎、あるいは一定期間毎に取りまとめた上で、自動的に取引情報M50が成果報酬型広告管理装置100に登録されるように販売装置500を構成しても良い。
【００２１】
ステップＳ009
購入者は、購入者端末装置600を用いて、図9に例示する取引情報M50を成果報酬型広告管理装置100に登録する。具体的には、販売者識別情報、商品識別情報、購入者識別情報、紹介者識別情報、受注番号、購入金額を登録すると、第二の取引情報登録手段124は、取引情報保持手段125に既に同値の情報を含むレコードが存在するかどうか確認する。レコードが存在した場合、購入者登録年月日を読み出し、空白であれば、そのときの時刻で購入者登録年月日を更新する。購入者登録年月日に値が入っていた場合は、2重登録とみなして登録を行わない、また、レコードが存在しなかった場合、入力されてきた販売者識別情報、商品識別情報、紹介者識別情報がそれぞれ販売者情報保持手段121、紹介者情報保持手段122、購入者情報保持手段126、および分配情報保持手段128に含まれているか確認する。全て存在した場合のみ、そのときの時刻を販売者登録年月日とした上で、取引情報保持手段125に新規登録する。
また、購入者端末装置600が紹介装置300にアクセスしてきた際に、購入者識別情報を払い出すようにしても良い。成果報酬型広告管理装置100においては、紹介者識別情報との組み合わせで一意となる。この場合は購入者の事前登録は行わないため、取引情報の登録時に購入者識別情報が購入者情報保持手段126に存在しなかった場合、新たに購入者端末装置600から分配金の授受方法などの購入者情報を入力させ、新規に登録するように構成する。
【００２２】
ステップＳ010
報酬金額計算手段129は、登録後、あらかじめ定めた期間を経過した取引情報について、販売者および購入者それぞれの報告状況に応じて報酬率、分配率を決定し、報酬金額および分配額を算出する。
【００２３】
図10に、分配情報保持手段128に保持している報酬率が10％、分配率が5％のときの、販売者および購入者の報告状況による報酬率、分配率の変動を例示する。この例では、販売者と購入者が共に取引情報を報告してきた場合、分配情報保持手段128に保持している報酬率と分配率をそのまま用いる。あるいは、販売者は取引情報を報告してきたが、購入者が報告してこない場合、報酬率は分配情報保持手段128に保持している値の半分とし、分配率は0とする。あるいは、購入者は取引情報を報告してきたが、販売者が報告してこない場合、報酬率は分配情報保持手段128に保持している値の1.5倍とし、分配率は2倍としている。
このようにして決定された報酬率、分配率を購入金額に乗じた額を、それぞれ報酬金額、分配金額として算出し、その値をもって取引情報保持手段125の該当取引情報を更新する。
なお、仲介者が利益として報酬金の一部を取り、その残りを報酬率と分配率に基づいて紹介者と購入者に支払うこととしても良い。
なお、仲介者が利益として報酬金の一部を取り、その残りを報酬率と分配率に基づいて紹介者と購入者に支払うこととしても良い。
算出結果に基づいて販売者から報酬金の請求、紹介者に対する支払い、および購入者に対
する分配金の支払いを行う。
【００２４】
図11は、価格が100である商品が販売されたときの、販売者および購入者の利得行列である。ゲーム理論によれば、購入者は、販売者が報告するかしないかに拘らず、報告したほうが得であるため、購入者の支配戦略は「報告する」である。そして、購入者が報告するならば、販売者は同じく報告したほうが得であり、販売者にとって合理的な戦略は「報
告する」となる。
また、販売者と購入者が共謀して共に報告を行わず、紹介者に対して支払うべき報酬金を両者で分け合うという攻撃が考えられる。いま価格100の商品販売において両者が報告した場合の報酬が10、分配金が5であるならば、販売者から購入者に対して6〜9を分配し、販売者は報酬の支払いを1〜4免れ、本来90であった粗利益を91〜94に増やすことが可能となる。
【００２５】
図12では、販売者から7円の報酬金が支払われるケースを示した。両者に十分な信頼関係、あるいは拘束力のある協力関係が成立した場合は、共に「報告しない」という最善の戦略が採られることになる。しかし、インターネットにおける不特定多数間の商取引など、相手が遠隔地におり素性も完全には判らないような状況化では、そのような関係は通常は築けない。そうした場合は、共謀したとしても最終的に裏切られる可能性が残るため、両者は囚人のジレンマとして良く知られる状況に陥る。表から読み取れるように、購入者は、販売者が報告するかしないかに拘らず、報告した方が得である。また、販売者も購入者が報告するかしないかに係らず、報告したほうが得である。共に「報告しない」という最善の戦略があるにも拘らず、両者とも支配戦略は「報告する」となる。
【００２６】
また、図13に示すように仲介者を介在させず、紹介者が直接販売者から販売情報を収集して購入者に紹介情報を提供しても良い。この場合、成果報酬型広告管理装置100は紹介情報管理部130を備え、この管理部は図14に示すように、紹介情報登録手段131、紹介情報保持手段132、および紹介情報出力手段133から構成される。また、この場合の処理シーケンスは図15に示すようになり、ステップS001において紹介者は紹介者端末装置200を用いて販売者端末装置400にアクセスし販売情報M10を得る。次に、ステップS002において、販売情報M10を販売情報登録手段111により成果報酬型広告管理装置100に登録する。この場合、販売情報管理部110において販売情報出力手段113はなくても構わない。ステップS003以降は、図3の処理と同様となる。
【００２７】
以上、説明してきたように本発明の成果報酬型広告管理装置によれば、購入者のみならず販売者からも積極的な取引事実の報告が見込めるため、購入者や販売者の不注意や悪意による報告漏れを抑制し、紹介者が適正な成果報酬を得ることが可能となる。
【産業上の利用可能性】
【００２８】
紹介者や仲介者にとっては実態に即した広告料収入が見込め、購入者にとってもメリットのある成果報酬型広告として、商品販売またはサービス利用の促進に寄与する。
【図面の簡単な説明】
【００２９】
【図１】本発明の実施例における成果報酬型広告管理装置の処理機能を例示した機能ブロック図である。
【図２】本発明の実施例における処理を示すための全体構成図である。
【図３】本発明の実施例における処理を示すためのシーケンス図である。
【図４】実施例における販売情報M10のデータ構造を例示した図である。
【図５】実施例における分配情報M20のデータ構造を例示した図である。
【図６】実施例における紹介情報M30のデータ構造を例示した図である。
【図７】実施例における発注情報M40のデータ構造を例示した図である。
【図８】実施例における受注情報M41のデータ構造を例示した図である。
【図９】実施例における取引情報M50のデータ構造を例示した図である。
【図１０】実施例における報告実績に基づく報酬率と分配率を例示した図である。
【図１１】実施例における販売者と購入者の利得行列を例示した図である。
【図１２】実施例における販売者と購入者の利得行列を例示した図である。
【図１３】本発明の他の実施例における処理を示すための全体構成図である。
【図１４】本発明の他の実施例における紹介者情報管理部の構成を示す図である。
【図１５】本発明の他の実施例における処理を示すためのシーケンス図である。
【符号の説明】
【００３０】
100成果報酬型広告管理装置
110販売情報管理部
111販売情報登録手段
112販売情報保持手段
113販売情報出力手段
120報酬情報管理部
121販売者情報保持手段
122紹介者情報保持手段
123第一の取引情報登録手段
124第二の取引情報登録手段
125取引情報保持手段
126購入者情報保持手段
127分配情報登録手段
128分配情報保持手段
129報酬金額計算手段
200紹介者端末装置
300紹介装置
400販売者端末装置
500販売装置
600購入者端末装置
M10販売情報
M20分配情報
M30紹介情報
M40発注情報
M41受注情報
M50取引情報
【図１】
2006190099.tif 000003
【図２】
2006190099.tif 000004
【図３】
2006190099.tif 000005
【図４】
2006190099.tif 000006
【図５】
2006190099.tif 000007
【図６】
2006190099.tif 000008
【図７】
2006190099.tif 000009
【図８】
2006190099.tif 000010
【図９】
2006190099.tif 000011
【図１０】
2006190099.tif 000012
【図１１】
2006190099.tif 000013
【図１２】
2006190099.tif 000014
【図１３】
2006190099.tif 000015
【図１４】
2006190099.tif 000016
【図１５】
2006190099.tif 000017